(57)【要約】      （修正有）【課題】補助光源を点灯させたときも明るい鮮明な映像を得ることができる電子内視鏡システムを提供する。【解決手段】挿入部１１の先端部に電子カメラ１６と、この電子カメラ１６の撮像出力を映像信号に変換する映像系処理手段と、主光源２７、およびこの主光源２７に代わって点灯する、この主光源２７よりも光量が少ない補助光源３２を有する。前記主光源２７が点灯しているときは、電子カメラ１６は所定周期で撮像および撮像信号出力を繰り返す通常電子シャッタ動作し、前記映像系処理手段は前記撮像手段が出力した撮像信号を第１のゲインで増幅して処理する。前記主光源２７に代わって前記補助光源３２が点灯したときは、前記電子カメラ１６は前記所定周期よりも長い周期で撮像および撮像信号出力を繰り返す長時間シャッタ動作し、前記映像系処理手段は前記撮像手段が出力した撮像信号を前記第１のゲインよりも高い第２のゲインで増幅して処理する。【選択図】      図６
2004243017.tif 000002
【特許請求の範囲】
【請求項１】
挿入部の先端部に設けられた撮像手段と、
この撮像手段が撮像して出力した信号を視覚化可能な映像信号に変換する映像系処理手段と、
主光源と、
この主光源に代わって点灯するこの主光源よりも光量が少ない補助光源と、
この主光源または補助光源が発した照明光を前記挿入部の先端部まで導いてその先端部から射出する導光部材とを備え、
前記映像系処理手段は、前記主光源に代わって前記補助光源が点灯するときは、前記撮像手段が出力した信号のゲインを、前記主光源が点灯しているときよりも高く設定して処理することを特徴とする電子内視鏡システム。
【請求項２】
挿入部の先端部に設けられた撮像手段と、
この撮像手段が撮像して出力した信号を表示手段で表示可能な映像信号に変換する映像系処理手段と、
主光源と、
この主光源に代わって点灯するこの主光源よりも光量が少ない補助光源と、
この主光源または補助光源が発した照明光を前記挿入部の先端部まで導いてその先端部から射出する導光部材とを備え、
前記撮像手段は、前記主光源が点灯しているときは、所定周期で撮像および撮像信号出力を繰り返す通常電子シャッタ動作し、
前記主光源に代わって前記補助光源が点灯するときは、前記所定周期よりも長い周期で撮像および撮像信号出力を繰り返す長時間シャッタ動作すること、を特徴とする電子内視鏡システム。
【請求項３】
挿入部の先端部に設けられた撮像手段と、
この撮像手段が撮像して出力した信号を視覚化可能な映像信号に変換する映像系処理手段と、
主光源と、
この主光源に代わって点灯するこの主光源よりも光量が少ない補助光源と、
この主光源または補助光源が発した照明光を前記挿入部の先端部まで導いてその先端部から射出する導光部材とを備え、
前記主光源が点灯しているときは、前記撮像手段は所定周期で撮像および撮像信号出力を繰り返す通常電子シャッタ動作し、前記映像系処理手段は前記撮像手段が出力した撮像信号を第１のゲインで増幅してから処理し、
前記主光源に代わって前記補助光源が点灯しているときは、前記撮像手段は前記所定周期よりも長い周期で撮像および撮像信号出力を繰り返す長時間シャッタ動作し、前記映像系処理手段は前記撮像手段が出力した撮像信号を前記第１のゲインよりも高い第２のゲインで増幅して処理すること、を特徴とする電子内視鏡システム。
【請求項４】
前記電子内視鏡システムは、前記挿入部の先端部に撮像手段を有する電子スコープと、この電子スコープの着脱が可能なプロセッサ部とを備え、
前記プロセッサ部は、前記映像系処理手段および前記主光源および前記補助光源を備え、
前記導光部材は、前記電子スコープおよび前記プロセッサ部内に設けられ、前記電子スコープが前記プロセッサ部に接続されたときに光学的に接続される請求項１から３のいずれか一項記載の電子内視鏡システム。
【請求項５】
前記長時間シャッタ動作は、前記所定周期の整数倍の周期で撮像および撮像信号出力を繰り返す動作である請求項２または３記載の電子内視鏡システム。
【請求項６】
前記映像系処理手段は、前記撮像信号を１フィールドまたは１フレーム分以上メモリするメモリ手段を備え、前記撮像手段が長時間シャッタ動作しているときは、前記メモリした１フィールドまたは１フレーム分の映像信号を前記所定周期で読み出して表示手段で表示可能な映像信号に変換する請求項５記載の電子内視鏡システム。
【発明の詳細な説明】
【０００１】
【発明の技術分野】
本発明は、主光源と補助光源を備えた電子内視鏡システムに関する。
【０００２】
【従来技術およびその問題点】
電子内視鏡の光源装置には、主光源としてハロゲンランプ、水銀ランプ、メタルハライドランプなど高輝度ランプが使用されている。電子内視鏡による検査、施術中に光源が寿命または故障によって消灯した場合、光源または光源装置を取り替えなければならない。この取り替え作業の間、内視鏡を患者の体腔内に据え置くのは望ましくない。
そこで、従来の高輝度ランプを使用した主光源とは別個に補助光源を内蔵し、主光源が消えたら補助光源に切替えて体腔内を照明し、補助光源による照明下で挿入部を体腔内から安全に抜き去ることを可能にする光源装置が、例えば、特許文献１、特許文献２、特許文献３などに開示されている。
【０００３】
補助光源は緊急用であり、使用頻度が非常に少ないので、できるだけ小型であり、経年劣化が少ないもの、例えば高輝度発光ダイオード（高輝度ＬＥＤ）が好ましい（特許文献３）。
しかし、補助光源として高輝度ＬＥＤを使用した場合、主光源に比して光量が少ないので、電子スコープの場合は光量不足で撮像した画像が暗すぎる場合がある。
【０００４】
【特許文献１】
特開２０００−２１０２４５号公報
【特許文献２】
特開平１０−１０８８２６号公報
【特許文献３】
特開２００２−７２１０６号公報
【０００５】
【発明の目的】
本発明は、上記従来の問題に鑑みてなされたもので、補助光源を点灯させたときも明るい鮮明な映像を得ることができる電子内視鏡システムを提供することを目的とする。
【０００６】
【発明の概要】
本発明の光源装置は、挿入部の先端部に設けられた撮像手段と、この撮像手段が撮像して出力した信号を視覚化可能な映像信号に変換する映像系処理手段と、主光源と、この主光源に代わって点灯するこの主光源よりも光量が少ない補助光源と、この主光源または補助光源が発した照明光を前記挿入部の先端部まで導いてその先端部から射出する導光部材とを備え、映像系処理手段は、主光源に代わって補助光源が点灯するときは、撮像手段が出力した信号のゲインを、主光源が点灯しているときよりも高く設定して処理することを特徴とする。
この構成によれば、主光源よりも暗い補助光源による照明時でも、明るい映像信号を得て、鮮明な画像による観察が可能になる。
【０００７】
別の発明は、撮像手段を、主光源が点灯しているときは、撮像手段は所定周期で撮像および撮像信号出力を繰り返す通常電子シャッタ動作し、主光源に代わって補助光源が点灯するときは、撮像手段は所定周期よりも長い周期で撮像および撮像信号出力を繰り返す長時間シャッタ動作することを特徴とする。
この構成によっても、主光源よりも暗い補助光源による照明時でも、明るい映像信号を得て、鮮明な画像による観察が可能になる。
【０００８】
さらに別の発明は、主光源が点灯しているときは、撮像手段は、所定周期で撮像および撮像信号出力を繰り返す通常電子シャッタ動作し、映像系処理手段には撮像手段が出力した撮像信号を第１のゲインで増幅してから処理させ、主光源に代わって補助光源が点灯するときは、撮像手段は前記所定周期よりも長い周期で撮像および撮像信号出力を繰り返す長時間シャッタ動作をするとともに、前記映像系処理手段は前記撮像手段が出力した撮像信号を前記第１のゲインよりも高い第２のゲインで増幅して処理することを特徴とする。
この構成によればさらに、主光源よりも暗い補助光源による照明時でも、明るい映像信号を得て、鮮明な画像による観察が可能になる。
【０００９】
本発明は、挿入部の先端部に撮像手段を有する電子スコープと、この電子スコープの着脱が可能なプロセッサ部とを備え、プロセッサ部は、映像系処理手段および主光源および補助光源を備え、導光部材は、電子スコープおよびプロセッサ部内に設けられ、電子スコープがプロセッサ部に接続されたときに光学的に接続される電子内視鏡システムに適している。
長時間シャッタ動作は、前記所定周期の整数倍の周期で撮像および撮像信号出力を繰り返す動作とすることが、構成および制御が容易なので好ましい。
映像系処理手段は、撮像信号を１フィールドまたは１フレーム分以上メモリするメモリ手段を備え、撮像手段が長時間シャッタ動作しているときは、メモリした１フィールド分の映像信号を所定周期で読み出してテレビモニタ等の表示手段で映像化可能な映像信号に変換する構成が好ましい。この構成によれば、補助光照明時にテレビモニタに映し出される映像は、いわゆるコマ送り状態になるが、明るく鮮明な映像が得られる。
【００１０】
【発明の実施の形態】
以下図面に基づいて本発明を説明する。図１は、本発明の光源装置を電子内視鏡システムに適用した実施形態の主要構成を示す図である。
【００１１】
この電子スコープ１０は、可撓性の挿入部１１と、挿入部１１の体外端に設けられた操作部１２と、操作部１２に一端部が接続されたユニバーサルチューブ１３およびユニバーサルチューブ１３の他端部に設けられた光コネクタ１４ａと電気コネクタ１４ｂを有するコネクタ部１４を備えている。挿入部１１の先端部には、撮像レンズ、撮像素子（ＣＣＤ）１６ａ等を含む電子カメラ（ビデオカメラ）１６が内蔵されている。電子カメラ１６は、挿入部１１の先端面に設けられた観察窓（対物窓）から外部を撮像可能に配置されている。さらに挿入部１１の先端面には、照明用の導光部材としてのライトガイド（光ファイバ束）１５の射出端面１５ｂや、鉗子口等（図示せず）が配置されている。また操作部１２には、電子カメラの動画撮影、静止画撮影などを制御する操作ボタンや、挿入部１１の先端部近傍に設けられた湾曲機構を操作する湾曲操作ノブ等が設けられている。さらにこの電子スコープ１０は、電子カメラ１６の撮像素子１６ａを駆動して撮像動作させるＣＣＤ駆動回路１８をコネクタ部１４内に備えている。
【００１２】
プロセッサ部２０内には、電子カメラ１６が撮像したアナログの信号を処理する映像信号処理系として、入力した信号を第１、第２のゲインでそれぞれ増幅する第１、第２アンプＯＰ１、ＯＰ２、これら第１、第２アンプＯＰ１、ＯＰ２のいずれかから出力された増幅後のアナログ信号をＡ／Ｄ変換するＡ／Ｄ変換器４１、このＡ／Ｄ変換器４１で変換されたデジタル信号に所定の信号処理を施すＤＳＰ４２、このＤＳＰ４２で処理されたデジタル映像信号を少なくとも１フィールドまたは１フレーム分メモリするメモリ４３、このメモリ４３から読み出されるデジタル映像信号をアナログのビデオ信号に変換するＤ／Ａ変換器４４を備えている。さらに、Ａ／Ｄ変換器４１に入力する信号を第１、第２アンプＯＰ１、ＯＰ２のいずれかから選択する信号切り換えスイッチＳＷ１を備えている。これらのアンプＯＰ１、ＯＰ２、Ａ／Ｄ変換器４１、ＤＳＰ４２、メモリ４３、Ｄ／Ａ変換器４４が映像系処理手段を構成している。
【００１３】
このプロセッサ部２０にはさらに、ＣＣＤ駆動回路１８を介して電子カメラ１６および映像信号処理系の各部材を制御するマイコン４５を備えている。なお、このマイコン４５は、この電子内視鏡システム全体を制御するコンローラ３１の制御下で動作する。
【００１４】
信号ケーブル１７は、挿入部１１、操作部１２およびユニバーサルチューブ１３内に収容され、一端部が電子カメラ１６に、他端部がコネクタ部１４の電気コネクタ１４ｂのピンに接続されている。映像ケーブル２２は、一端がコネクタ部２１の電気コネクタ２１ｂのピンに、他端が第１、第２アンプＯＰ１、ＯＰ２の各入力ポートに接続されている。電子カメラ１６と第１、第２アンプＯＰ１、ＯＰ２の各入力ポートは、信号ケーブル１７、コネクタ部１４の電気コネクタ１４ｂ、コネクタ部２１の電気コネクタ２１ｂ及び映像ケーブル２２を介して接続される。
【００１５】
Ｄ／Ａ変換器４４には、ビデオエンコーダ（不図示）を介して電子カメラ１６が撮像した映像を視覚可能な映像として映し出すテレビモニタが接続され、電子内視鏡１０を操作する者は、このテレビモニタの映像を見ながら操作する。なお、Ｄ／Ａ変換器４４にはテレビモニタの他に、映像を記録するビデオデッキなどの外部記憶装置、パソコンの映像信号入力などの接続が可能である。
【００１６】
ライトガイド１５は、挿入部１１の先端面から、挿入部１１、操作部１２およびユニバーサルチューブ１３内を通って他端部がコネクタ部１４内の光コネクタ１４ａに接続されている。そしてこの光コネクタ１４ａは、コネクタ部１４とコネクタ部２１が接続されたときに、同時にコネクタ２１内の光コネクタ２１ａに接続され、ライトガイド１５の入射端面１５ａとライトガイド（光ファイバ束）２５の射出端面２５ｂとを光接続する。ライトガイド２５の他端部の入射端面２５ａは、主光源２７から射出された照明光の入射位置に配置されている。主光源２７と入射端面２５ａとの間の主光源光路内には絞り２６が配置され、この絞り２６の開閉により入射端面２５ａに入射する光量が調整される。絞り２６は絞り駆動回路３８を介してシステムコントローラ３１により制御される。
【００１７】
この主光源２７から発せられ、入射端面２５ａから入射した照明光は、ライトガイド２５、射出端面２５ｂ、入射端面１５ａ、ライトガイド１５と導かれ、ライトガイド１５の射出端面１５ｂ、挿入部１１先端面の照明窓から外部に射出して体腔内を照明する。
【００１８】
主光源２７は、主光源電源２８によって点灯駆動制御される。この主光源電源２８は、商用電源２９から電力供給を受けた安定化電源回路３０において安定化された電流によって主光源２７の点灯を制御する。
【００１９】
主光源２７としては、通常、ハロゲンランプ、水銀ランプ、メタルハライドランプなどの高輝度ランプが使用され、この高輝度ランプが反射傘を有するランプソケットに装着されている。そして、この主光源２７から発光された光束を収束してライトガイド２５の入射端面２５ａに効率よく入射させるための集光レンズなど（不図示）を備えている。この主光源２７の収束位置と入射端面２５ａとが一致するように、主光源２７およびライトガイド２５が配置されている。
【００２０】
プロセッサ部２０内には、主光源２７がランプ寿命により、またはなんらかの故障により消灯したときに、主光源２７に代わって点灯し、照明光を供給する補助光源３２が設けられている。補助光源３２として、本実施形態では高輝度発光ダイオード（高輝度ＬＥＤ）を使用している。主光源２７の消灯を光センサ３９及び消灯検知回路４０にて検出し、消灯検知信号がシステムコントローラ３１に送信され、補助光源駆動回路３３がシステムコントローラ３１から補助光源点灯信号を受けたときに、この補助光源３２の点灯が補助光源駆動回路３３によって駆動制御される。なお、補助光源駆動回路３３は、安定化電源回路３０から供給される定電圧電流によって動作する。
【００２１】
さらに補助光源駆動回路３３は、アクチュエータ３４を駆動して補助光源３２を、主光源光路外の待機位置と、主光源光路内であって、入射端面２５ａと対向する使用位置（補助光源発光位置）とに移動させ、この使用位置において補助光源３２を点灯する。なお補助光源３２は、通常状態では主光源光路外の待機位置に保持され、消灯されている。
【００２２】
光源装置の機械的構成について、さらに図２、図３を参照して説明する。図２、図３は本実施形態の要部斜視図であって、図２は主光源２７が点灯する通常状態を示し、図３は補助光源３２が使用位置に移動して点灯する補助光点灯状態を示している。
【００２３】
補助光源３２は、Ｌ型のレバー５１の一方の端部に固定されている。レバー５１は、角部が軸５１ａを介して回動自在に押え板５２に軸支され、他方の端部にアクチュエータ３４が連結されている。このアクチュエータ３４はロータリーアクチュエータであって、回転軸（図示せず）に固定された回転板５３の偏心位置に軸５３ａが植設され、この軸５３ａが、レバー５１の一方の腕部に腕部に沿って形成された長穴５１ｂに嵌っている。
【００２４】
補助光源駆動回路３３からの制御信号によりアクチュエータ３４が非通電状態のときは、回転板５３は初期位置に保持され、レバー５１も初期状態に保持されている。この初期状態が通常状態であって、レバー５１の一方の端部に固定された補助光源３２は主光源光路外の待機位置に保持されている。
【００２５】
補助光源駆動回路３３からの制御信号によりアクチュエータ３４に通電されると、回転板５３が時計回り方向に所定角度だけ回転し、この回転に連動してレバー５１も軸５１ａ周りに反時計回り方向に回転して、補助光源３２を使用位置、つまり、入射端面２５ａと対向する使用位置に移動する。そして補助光源３２は、アクチュエータ３４に通電されている間、この使用位置に保持される。補助光源駆動回路３３がシステムコントローラ３１から補助光源点灯信号を受信した時、補助光源駆動回路３３は補助光源３２に通電させて補助光源３２を発光させると共に、補助光源３２を補助光源発光位置に移動させる。
【００２６】
なお、主光源２７は点灯中は高熱になるので、詳細は図示しないが、主光源３２を冷却する冷却ファンを備えている。また、補助光源３２も、冷却ファンによる空気流の冷却だけでは不十分な場合など、必要に応じて補助光源冷却手段が設けられる。
【００２７】
本実施形態の補助光源３２はＬＥＤなので、主光源２７に比して光量が少ない。そのため、たとえＬＥＤの順電流の絶対最大定格近傍の定常電流値でＬＥＤを駆動して体腔内を照明しても、撮像処理により得られる映像信号の輝度が主光源２７による照明の時と比べて低く、モニタテレビに映し出される映像が暗い。
【００２８】
そこで本発明の第一の実施形態では、補助光源を点灯する補助光源点灯モードのときは、第１アンプＯＰ１から第２アンプＯＰ２に切り替えてゲインを２倍にし、明るい映像が得られるようにしている。図４には、第１アンプＯＰ１の第１のゲインを基準にして、第２アンプＯＰ２の第２のゲインを第１アンプＯＰ１の第１のゲインの２倍にした場合の映像信号を示してある。
なお、補助光源点灯モードの場合のゲインは通常時の２倍に限定されず、３倍、４倍以上でもよく、また２倍未満でもよい。
【００２９】
本発明の第２の実施形態では、補助光源点灯モードのときは、第１アンプＯＰ１から第２アンプＯＰ２に切り替えてゲインを上げる代わりに、電子シャッタを長時間シャッタに変更する。図５にそのタイミングチャートを示した。この電子カメラ１６のＣＣＤ撮像素子１６ａは、１フィールド１／６０秒の所定周期で露出および撮像信号の出力を繰り返し、通常電子シャッタ動作のときは、１／６０秒よりも短時間の電子シャッタ速度で動作する。また、長時間電子シャッタ動作のときは、２フィールドにまたがって露出し、１フィールド置きに撮像信号を出力する。このことにより、１フィールド毎の撮像信号の電荷蓄積期間を長くすることができ、明るい映像が得られる。
【００３０】
図５（Ａ）には、通常電子シャッタ動作における最遅である１／６０秒の場合のタイミングチャートを示し、（Ｂ）には長時間電子シャッタ動作の場合を示してある。図示した長時間モードは、２フィールドにまたがる１／３０秒である。この場合、１秒間に３０フィールドしか映像信号が得られないが、本実施形態では、メモリ４３にメモリした２フィールド時間分の１フィールド分の画像を１／６０秒周期で読み出して出力しているので、ちらつきやぎくしゃくした動きもなく、滑らかな動画がモニタテレビに映し出される。
【００３１】
なお、長時間シャッタ動作における電子シャッタ速度はこの実施例に限定されず、３フィールドまたは４フィールド以上、つまり１フィールドの整数倍のフィールドにまたがる長時間としてもよい。また、撮像信号の出力は所定周期で出力される同期信号（垂直同期信号）に同期させることが制御が簡単で望ましいが、撮像時間（露出または電荷蓄積時間）は、１フィールドの整数倍の時間でなくてもよい。
【００３２】
本発明の第３の実施形態は、これら第１の実施形態および第２の実施形態を併用する。つまり、補助光源点灯モードの場合は、ペアンプＯＰ１からアンプＯＰ２に切り替えてゲインを２倍にし、かつ電子シャッタを長時間モードに変更する。
【００３３】
第３の実施形態における処理について、図に示したフローチャートを参照して説明する。システムコントローラ３１は、電源スイッチＳＷＰがオンして商用電源２９が供給された状態でこの点灯処理フローチャートに入る。本図および明細書において、ステップは「Ｓ」と省略する。
【００３４】
この処理に入ると、電源スイッチＳＷＰがオンしているかどうかをチェックする（Ｓ１１）。電源スイッチＳＷＰがオンしていないときは、主光源２７および補助光源３２をオフして処理を終了する（Ｓ１１；Ｎ、終了）。
【００３５】
電源スイッチＳＷＰがオンしているときは、主光源２７を点灯し、主光源電流がほぼ０でないことを条件に、通常ゲインおよび通常電子シャッタ動作、つまりゲイン切換えスイッチＳＷ１をアンプＯＰ１との接続にし、マイコン４５に通常電子シャッタ動作をさせる（Ｓ１１；Ｙ、Ｓ１５、Ｓ１７；Ｎ、Ｓ１９、Ｓ１１）。以上の処理を、電源スイッチＳＷＰがオンしていて、主光源電流が流れている間繰り返す。
【００３６】
主光源２７が切れたり、なんらかの原因によりいわゆる安全装置が作動して主光源電流が減少すると（Ｓ１７；Ｙ）、主光源２７をオフし（Ｓ２１）、アクチュエータ３４を駆動して補助光源３２を使用位置に移動し（Ｓ２３）、補助光源３２を点灯させる（Ｓ２５）。さらに、ゲインアップするとともに、電子シャッタを長時間モードに切り換え（Ｓ２７）、電源スイッチＳＷＰがオフされるのを待つ（Ｓ２９）。つまり、ゲイン切り換えスイッチＳＷ１を第２アンプＯＰ２との接続に切り換え、マイコン４５に長時間モードで動作させて、電源スイッチＳＷＰがオフされるのを待つ。電源スイッチＳＷＰがオフされると、補助光源３２を消灯し、アクチュエータ３４を駆動して補助光源３２を待機位置に待避させて点灯処理を終了する（Ｓ２９；Ｙ、Ｓ３１、Ｓ３３、終了）。
操作者は、補助光源３２がオンしたら、補助光源点灯モードにおいて電子カメラ１６で撮像された、明るく鮮明な映像をテレビモニタで観察できるので、テレビモニタで像を観察しながら操作部１２を操作して、挿入部１１を体腔内から引き出し、電源スイッチＳＷＰをオフして主光源２７を交換する。
【００３７】
以上の通り本発明の実施形態によれば、主光源２７がなんらかの理由によって消えた場合は、補助光源３２を使用位置に移動して点灯し、主光源２７に代わって体腔内を照明するだけでなく、電子カメラ１６が撮像した映像信号のゲインを上げ、または電子カメラ１６の電子シャッタ速度を長時間モードに変更し、またはこれら両方を同時に実行して、補助光源３２の光量不足を補って明るくて明瞭な映像をテレビモニタで視覚化できる。また、第１の実施形態および第２の実施形態を併用することにより、補助光源点灯モードにおいて、映像信号のゲインを上げすぎて映像信号のノイズが目立ったり、電子シャッタの極端な長時間化による色ずれやフリッカが顕著になることなく、明るくて明瞭な映像を得られる。
【００３８】
【発明の効果】
以上の説明から明らかな通り本発明は、補助光源点灯時には撮像手段が出力した信号を増幅する際のゲインを主光源が点灯しているときよりも高く設定して処理するので、主光源よりも暗い補助光源でも明るく鮮明な映像を得ることができる。
また別の本発明は、補助光源点灯時には主光源が点灯しているときの所定周期よりも長い周期で撮像および撮像信号出力を繰り返す長時間シャッタ動作するので、受光量が増えて、明るく鮮明な映像を得ることができる。
【図面の簡単な説明】
【図１】本発明を適用した電子内視鏡システムの第一の実施形態の主要構成を示す図である。
【図２】同第一の実施形態における補助光源の移動機構を通常状態で示す斜視図である。
【図３】同第一の実施形態における補助光源の移動機構を補助光点灯状態で示す斜視図である。
【図４】同第一の実施形態において、補助光源点灯時のゲインアップに関するタイミングチャートの一例を示す図である。
【図５】同第一の実施形態において、補助光源点灯時の電子シャッタ長時間モードに関するタイミングチャートの一例を示す図である。
【図６】同電子内視鏡システムの第３の実施形態における点灯処理をフローチャートで示す図である。
【符号の説明】
１０  電子スコープ
１１  挿入部
１２  操作部
１３  ユニバーサルチューブ
１４  コネクタ部
１４ａ  ライトガイドコネクタ
１４ｂ  電気コネクタ
１５  ライトガイド（光ファイバ束）
１５ａ  入射端面
１５ｂ  射出端面
１６  電子カメラ
１６ａ  ＣＣＤ撮像素子
２０  プロセッサ部
２１  コネクタ部
２１ａ  ライトガイドコネクタ
２１ｂ  電気コネクタ
２５  ライトガイド（光ファイバ束）
２５ａ  入射端面
２５ｂ  射出端面
２６  絞り
２７  主光源
２８  主光源電源
３０  安定化電源回路
３２  補助光源
３３  補助光源駆動回路
３４  アクチュエータ
ＯＰ１  第１のアンプ
ＯＰ２  第２のアンプ
ＳＷＰ  電源スイッチ
ＳＷ１  信号切り換えスイッチ
【図１】
2004243017.tif 000003
【図２】
2004243017.tif 000004
【図３】
2004243017.tif 000005
【図４】
2004243017.tif 000006
【図５】
2004243017.tif 000007
【図６】
2004243017.tif 000008